(57)【要約】      （修正有）【課題】自由に折り曲げ可能な健康促進装置を提供する。【解決手段】チップ部２００を備える。チップ部２００は、間隔をあけて配列されている複数のチップ２１０及び固定膜１０を有する。固定膜１０は、チップ２１０を包み込んで固定し、所定位置に少なくとも一つの屈曲部２０が設けられている。屈曲部２０を有することで固定膜が大角度で自由に折り曲げることができる。これにより、好ましい可撓性を有する。使用者は、健康促進装置装着しても自由に動くことができる。また、健康促進装置が何れの制限を受けることもなく、人体表面に完全に貼付されており、装着の快適性をさらに高めることができる。【選択図】図２
0003189921.tif 000002
【実用新案登録請求の範囲】
【請求項１】
間隔をあけて配列されている複数のチップ及び固定膜を有するチップ部を備え、
前記固定膜は、前記チップを包み込んで固定し、所定位置に少なくとも一つの屈曲部が設けられていることを特徴とする健康促進装置。
【請求項２】
前記屈曲部は、前記固定膜に包み込まれている複数の前記チップの間に設けられていることを特徴とする請求項１に記載の健康促進装置。
【請求項３】
前記チップは、前記固定膜の両側に位置し、
前記屈曲部は、前記固定膜の中央位置に設けられていることを特徴とする請求項１に記載の健康促進装置。
【請求項４】
前記チップは、等角度の間隔をあけて環状に配列されており、
前記固定膜は、環状に形成されており、
前記屈曲部は、前記固定膜の径方向内側の周方向に設けられていることを特徴とする請求項１に記載の健康促進装置。
【請求項５】
前記屈曲部は、少なくとも一つの凹溝部、または、間隔をあけて形成されている複数の貫通孔であることを特徴とする請求項１に記載の健康促進装置。
【考案の詳細な説明】
【技術分野】
【０００１】
本考案は、健康促進装置に関する。
【背景技術】
【０００２】
図１に示すように、従来の健康促進装置は、固定膜１を備え、固定膜１は複数のチップ２を包み込んでチップ部３を構成する。チップ部３を人体に密着させて人体を包み込む時、チップ部３は人体に対して遠赤外線を放射する。遠赤外線は、人体に対して微量のエネルギを伝達するため、これによって、体内の水分子に共鳴吸収され、変角振動を起こし、血液循環を促進して新陳代謝を強化する。並びに、大きい水分子グループを小さい水分子グループに分解し、殺菌及び除臭作用等を有する。
【考案の概要】
【考案が解決しようとする課題】
【０００３】
しかしながら、従来のチップ部パッケージ構造の固定膜１は、可撓性が好ましくなく、チップ部３を大角度で自由に折り曲げる事が不可能である故、使用者がチップ部３を使用する際、動く範囲が制限されて、不自由である。また、チップ部３を人体の表面に完全に貼付できないため、不快感を引き起こす。
本考案は、上述の問題に鑑みてなされたものであり、その目的には、自由に折り曲げ可能な健康促進装置を提供することにある。
【課題を解決するための手段】
【０００４】
本考案による健康促進装置は、チップ部を備える。チップ部は、間隔をあけて配列されている複数のチップ及び固定膜を有する。固定膜は、チップを包み込んで固定し、所定位置に少なくとも一つの屈曲部が設けられている。
【０００５】
本考案の健康促進装置は、屈曲部を有することで固定膜が大角度で自由に折り曲げることができる。これにより、好ましい可撓性を有する。使用者は、健康促進装置を装着する際、自由に動くことができる。また、健康促進装置が何れの制限を受けることもなく、人体表面に完全に貼付されており、装着の快適性をさらに高めることができる。チップが遠赤外線エネルギを放出する際は、好ましい効果を有する。
【図面の簡単な説明】
【０００６】
【図１】従来の健康促進装置の外観図である。
【図２】本考案の第一実施形態による健康促進装置の斜視図である。
【図３】本考案の第一実施形態による健康促進装置の使用状態を示す平面図である。
【図４】本考案の第一実施形態による健康促進装置の分解斜視図である。
【図５】本考案の第一実施形態による健康促進装置の断面図である。
【図６】本考案の第一実施形態による健康促進装置の折り曲げた状態を示す断面図である。
【図７】本考案の第二実施形態による健康促進装置の斜視図である。
【図８】本考案の第二実施形態による健康促進装置の断面図である。
【図９】本考案の第二実施形態による健康促進装置の折り曲げた状態を示す断面図である。
【図１０】本考の案第三実施形態による健康促進装置の斜視図である。
【図１１】本考の案第四実施形態による健康促進装置の斜視図である。
【図１２】本考の案第五実施形態による健康促進装置の斜視図である。
【図１３】本考の案第六実施形態による健康促進装置の斜視図である。
【図１４】本考の案第七実施形態による健康促進装置の斜視図である。
【考案を実施するための形態】
【０００７】
（第一実施形態）
本考案の第一実施形態による健康促進装置を図１に示す。本実施形態による、健康促進装置１００はチップ部２００を含む。
【０００８】
チップ部２００は、間隔をあけて予定位置箇所に配列した複数のチップ２１０及び固定膜１０を備える。該固定膜１０はチップ２１０を包み込み固定する。チップ２１０はそれぞれ独立し、位置限定されて固定膜１０内に固定される。本考案の第一実施形態では、固定膜１０は、可撓性を備えたＥＶＡ材質によって構成される。これは単に一つの実施形態である。固定膜１０は可撓性を有するＰＥ、ＴＰＲ、ＴＰＵ等の材質から構成される。また、固定膜１０の所定箇所には複数の屈曲部２０を設けられている。それらの屈曲部２０は、それぞれ、固定膜１０の縦方向及び横方向に沿って交差し、間隔をあけて固定膜１０の所定位置に設けられている。屈曲部２０は、固定膜１０のチップ２１０が相対する位置の間に設けられている。本考案の第一実施形態において、屈曲部２０は、間隔をあけて設置する複数の凹溝部２１であり、固定膜１０に折り曲げられる伸縮可動空間を提供する。これにより、固定膜１０には予定方向の可撓性を有し、固定膜１０は、設置した屈曲部２０で大角度に自由に折り曲げることができる。
【０００９】
図３、図４、図５に示す通り、チップ部２００は、伸縮ウエストベルト３００内に配置し、尚且つ、チップ２１０の一面にエネルギ被覆層２２０を塗布する。エネルギ被覆層２２０の材質は、銅、炭素、シリコン、マンガン、リン、硫黄、ニッケル、ゲルマニウム、クロム、モリブデン、チタン、バナジウム等の材質を含み、比率に基づいて混合して形成される。これにより、エネルギ被覆層２２０は、遠赤外線放射エネルギを放出することが可能となる。本考案の第一実施形態では、屈曲部２０は、固定膜１０の予定位置において、伸縮ウエストベルト３００の横軸方向及び縦軸方向に間隔をあけて設置されている。該屈曲部２０は、固定膜１０のチップ２１０が相対する位置の間に設けられ、これにより、固定膜１０には伸縮ウエストベルト３００の縦軸方向及び横軸方向に折り曲げる性質を有する。チップ部２００は、伸縮ウエストベルト３００に従って自由に折り曲げ可能となる。
【００１０】
図３、図５、図６に示すとおり、健康促進装置１００は、屈曲部２０に折り曲げ可能な伸縮可動空間を有する。固定膜１０に予定方向の可撓性を備えるため、健康促進装置１００は、大角度で自由に折り曲げ可能である。これにより、チップ部２００は好ましく折り曲がる性質を有する。チップ部２００が自由に折り曲げられるため、チップ部２００は可撓式チップ部となり、チップ部２００は伸縮ウエストベルト３００に従って自由に折り曲げることができる。これにより、チップ部２００を伸縮ウエストベルト３００に組み合わせて人体の腰部に巻きつける際、健康促進装置１００は何れの制限を受けることなく、使用者は腰部を自由に曲げて動かすことができる。また、屈曲部２０の作用を通して、伸縮ウエストベルト３００の折り曲げに応じてチップ部２００を人体の表面に完全に貼付できるため、装着の快適性を高め、チップ２１０を対応する人体にぴったりと貼付し、好ましい遠赤外線放射効果を有する。
【００１１】
（第二実施形態）
本考案の第２実施形態による健康促進装置を図７から図９に示す。前述の第一実施形態と異なる箇所は次の通りである。屈曲部２０は、間隔をあけて設置する複数の貫通孔２２であり、これによって、屈曲部２０には折り曲げられる伸縮可動空間を有する。固定膜１０には予定方向の可撓性が備えられているため、健康促進装置１００には好ましい可撓性を有する、チップ部２００を自由に折り曲げ可能となる。
【００１２】
（第三実施形態）
本考案の第三実施形態による健康促進装置を図１０に示す。第三実施形態が前述した本考案の第一実施形態と異なる点は以下のとおりである。チップ部２００をアイマスクに合わせ、そのチップ２１０を目の位置に合わせて、それぞれを固定膜１０の両側に設置させる。固定膜１０は、両端を中央に向かって徐々に収縮し、固定膜１０の中間箇所には、固定膜１０の縦方向及び横方向の予定位置に沿って交差する複数の屈曲部２０が設けられている。本考案の第三実施形態における屈曲部２０は、間隔をあけて設置する複数の凹溝部２１である。これによって固定膜１０は、折り曲げられる伸縮可動空間を形成し、予定方向の可撓性を備えたものとなる。さらに、固定膜１０は、屈曲部２０を設置した箇所において大角度で自由に折り曲げられるため、チップ部２００をアイマスクに係合させて使用する際、健康促進装置１００を目の輪郭に沿って折り曲げ、チップ部２００が完全に人体の表面に貼付される。よって、本考案の第三実施形態は、装着の快適性を高めるだけでなく、チップ２１０が人体に密着し、好ましい遠赤外線放射効果を有する。
【００１３】
（第四実施形態）
本考案の第四実施形態による健康促進装置を図１１に示す。第四実施形態が本考案の第三実施形態と異なる点は以下のとおりである。屈曲部２０に間隔をあけて設置するのが複数の貫通孔２２である。これによって、折り曲げられる伸縮可動空間が形成され、固定膜１０は予定方向の可撓性を有する。よって、健康促進装置１００には好ましい可撓性を有し、チップ部２００は自由な折り曲げが可能となる。
【００１４】
（第五実施形態）
本考案の第五実施形態による健康促進装置を図１２に示す。第五実施形態が前述した本考案の第三実施形態と異なる点は以下のとおりである。屈曲部２０が固定膜１０においてチップ２１０の相対する位置の間で交差し、屈曲部２０には凹溝部２１がそれぞれ設けられている。これによって、固定膜１０には折り曲げられる伸縮可動空間が形成され、固定膜１０は予定方向の可撓性を有する。よって、健康促進装置１００は目の輪郭に沿って折り曲げ可能となり、チップ部２００は完全に人体表面に貼付し、装着の快適性を高めるだけでなく、チップ２１０を人体にぴったり貼付することができ、好ましい遠赤外線放射効果を有する。
【００１５】
（第六実施形態）
本考案の第六実施形態による健康促進装置を図１３に示す。第六実施形態が前述した本考案の第一実施形態と異なる点は以下のとおりである。チップ部２００を膝用サポーターとして使用する。そのチップ２１０は等角度に間隔をあけて環状配列されており、固定膜１０は環状に形成されており、チップ２１０を包み込み固定する。固定膜１０は、その内周囲の予定位置に沿って間隔をあけて複数の屈曲部２０が設置されており、チップ２１０の間にも複数の屈曲部２０が設けられている。本考案の第六実施形態において、屈曲部２０は間隔をあけて設置する複数の凹溝部２１であり、固定膜１０に折り曲げられる伸縮可動空間を形成し、固定膜１０には予定方向の可撓性を有する。これにより、固定膜１０は屈曲部２０を設けた箇所において大角度で自由に折り曲げ可能となるため、チップ部２００を膝用サポーターに係合させて使用する時、使用者の膝部を自由に曲げて動かすことができる。また、健康促進装置１００はいかなる制限も受けることなく、膝部の輪郭に沿って折れ曲がるため、チップ部２００は人体表面に完全に貼付されている。これにより、装着の快適性が向上するとともに、チップ２１０は人体にぴったりと貼付され、好ましい遠赤外線放射効果を発揮することができる。
【００１６】
（第七実施形態）
本考案の第七実施形態による健康促進装置図１４に示す。第七実施形態と前述した本考案の第六実施形態とが異なる点は以下のとおりである。屈曲部２０は間隔をあけて設置する複数の貫通孔２２である点にある。これによって、折り曲げられる伸縮可動空間が形成され、固定膜１０には予定方向の可撓性が備えられ、健康促進装置１００には好ましい可撓性を有し、チップ部２００は自由に折り曲げ可能となる。
【００１７】
本実施形態では、屈曲部２０は、凹溝部２１または貫通孔２２である。これに対し、他の実施形態では屈曲部２０を縫線にしてもよい。
【符号の説明】
【００１８】
１００・・・健康促進装置、
１０・・・固定膜、
２０・・・屈曲部、
２１・・・凹溝部、
２２・・・貫通孔、
２００・・・チップ部、
２１０・・・チップ、
２２０・・・エネルギ被覆層、
３００・・・伸縮ウエストベルト。
【図１】
0003189921.tif 000003
【図２】
0003189921.tif 000004
【図３】
0003189921.tif 000005
【図４】
0003189921.tif 000006
【図５】
0003189921.tif 000007
【図６】
0003189921.tif 000008
【図７】
0003189921.tif 000009
【図８】
0003189921.tif 000010
【図９】
0003189921.tif 000011
【図１０】
0003189921.tif 000012
【図１１】
0003189921.tif 000013
【図１２】
0003189921.tif 000014
【図１３】
0003189921.tif 000015
【図１４】
0003189921.tif 000016
【手続補正書】
【提出日】平成26年2月12日(2014.2.12)
【手続補正１】
【補正対象書類名】実用新案登録請求の範囲
【補正対象項目名】全文
【補正方法】変更
【補正の内容】
【実用新案登録請求の範囲】
【請求項１】
間隔をあけて配列されている複数のチップ及び固定膜を有するチップ部を備え、
前記固定膜は、前記チップを包み込んで固定し、前記固定膜に包み込まれている複数の前記チップの間に少なくとも一つの屈曲部が設けられていることを特徴とする健康促進装置。
【請求項２】
前記チップは、前記固定膜の両側に位置し、
前記屈曲部は、前記固定膜の中央位置に設けられていることを特徴とする請求項１に記載の健康促進装置。
【請求項３】
前記チップは、等角度の間隔をあけて環状に配列されており、
前記固定膜は、環状に形成されており、
前記屈曲部は、前記固定膜の径方向内側の周方向に設けられていることを特徴とする請求項１に記載の健康促進装置。
【請求項４】
前記屈曲部は、少なくとも一つの凹溝部、または、間隔をあけて形成されている複数の貫通孔であることを特徴とする請求項１に記載の健康促進装置。